(57)【要約】【課題】  極めて簡単な構成で、スピーカのクロスオーバー周波数を推定する。【解決手段】  ３つの周波数帯においてスピーカの音圧レベルを測定し、その測定結果に基づき推定テーブルＴＢＬを参照してクロスオーバー周波数を求める。例えば、平均音圧レベルを０ｄＢとした場合に、１２０Ｈｚおよび８０Ｈｚの音圧レベルが共に０ｄＢ以上であれば、そのスピーカのクロスオーバー周波数は８０Ｈｚ以下であると推定する。【選択図】      図３
2005253001.tif 000002
【特許請求の範囲】
【請求項１】
予め定めた複数の周波数帯域において測定信号を発生する測定信号発生手段と、
前記測定信号発生手段が発生した測定信号によって鳴動されるスピーカから発せられる音を受信するマイクと、
前記各周波数帯域における前記マイクの受信信号に基づいてクロスオーバー周波数を推定する推定手段と
を具備することを特徴とするクロスオーバー周波数推定装置。
【請求項２】
前記推定手段が求めたクロスオーバー周波数を表示する表示手段を具備することを特徴とする請求項１に記載のクロスオーバー周波数推定装置。
【請求項３】
前記測定信号発生手段は、ホワイトノイズを発生するホワイトノイズ発生手段と、前記ホワイトノイズ発生手段の出力信号の帯域を設定する帯域制限手段とを有し、前記複数の周波数帯域における測定結果は前記帯域制限手段が設定した帯域の代表周波数に対する測定結果、または前記帯域における平均値として認識されることを特徴とする請求項１または２記載のクロスオーバー周波数推定装置。
【請求項４】
供給される信号を増幅してスピーカに供給する２以上の出力手段と、
予め定めた複数の周波数帯域において測定信号を発生する測定信号発生手段と、
前記測定用信号発生手段が発生した測定用信号を前記各出力手段に選択的に供給して前記スピーカから発生させる測定制御手段と、
前記測定制御手段によって前記スピーカから発生された前記測定用信号を受信するマイクと、
前記各周波数帯域における前記マイクの受信信号レベルに基づいてクロスオーバー周波数を推定する推定手段と、
前記各出力手段のうち特定されたものの出力帯域を、前記推定手段が推定したクロスオーバー周波数に対応した帯域に設定する帯域設定手段と、
を具備することを特徴とするオーディオ装置。
【請求項５】
前記測定信号発生手段は、ホワイトノイズを発生するホワイトノイズ発生手段と、前記ホワイトノイズ発生手段の出力信号の帯域を設定する帯域制限手段とを有し、前記複数の周波数帯域における測定結果は前記帯域制限手段が設定した帯域の代表周波数に対する測定結果、または前記帯域における平均値として認識されることを特徴とする請求項４記載のオーディオ装置。
【請求項６】
前記推定手段が推定したクロスオーバー周波数を複数記憶する記憶手段と、
前記記憶手段に記憶されたいずれかのクロスオーバー周波数を選択する選択手段と、
前記選択手段によって選択された帯域を前記特定の出力手段に設定する帯域プリセット手段とを具備することを特徴とする請求項４または５記載のオーディオ装置。
【発明の詳細な説明】
【技術分野】
【０００１】
本発明は、スピーカのクロスオーバー周波数を推定する際に用いて好適なクロスオーバー周波数推定装置およびオーディオ装置に関する。
【背景技術】
【０００２】
近年のオーディオシステムにおいては、５．１チャンネルのサラウンドサウンドを再生するものが多い。この場合、低音領域を受け持つサブウーハーとその他のスピーカのクロスオーバー周波数を適切に設定することが重要である。
【０００３】
ところで、クロスオーバー周波数を設定する際には、一般にはスピーカの周波数特性を示すスペック表を見て設定するか、実際に耳で聞いて設定する方法が採られていた。しかし、スペック表を見て設定しても、スピーカの設置場所の状況によって視聴位置における周波数特性は変化してしまうため、状況に適合しない設定となることがほとんどである。また、耳で聞いて設定する方法では、設定者の主観的感覚に依存するため正確を期すことは難しい。
【０００４】
一方、ＦＦＴ（高速フーリエ変換）を用いて視聴位置における周波数特性を周波数軸で解析すれば、適切なクロスオーバー周波数を設定することができるが、この方法では計算量が多くなり、高性能な信号処理装置が必要になるとともに、使用メモリも大容量のものが必要になってしまう（例えば、特許文献１）。そして、このような信号処理装置をオーディオ装置に搭載することを想定すると、オーディオ装置の構成が複雑になり、価格も高くなってしまうという問題が生じる。
【特許文献１】特開平１０−２８４９６５号公報
【発明の開示】
【発明が解決しようとする課題】
【０００５】
本発明は、上述した事情に鑑みてなされたものであり、簡単な構成でクロスオーバー周波数を推定することができるクロスオーバー周波数推定装置を提供することを目的とする。
【０００６】
また、本発明は、簡単な構成でクロスオーバー周波数を自動設定することができるオーディオ装置を提供することを目的とする。
【課題を解決するための手段】
【０００７】
上述した問題を解決するため、予め定めた複数の周波数帯域において測定信号を発生する測定信号発生手段と、前記測定信号発生手段が発生した測定信号によって鳴動されるスピーカから発せられる音を受信するマイクと、前記各周波数帯域における前記マイクの受信信号に基づいてクロスオーバー周波数を推定する推定手段とを具備することを特徴とする。
【０００８】
かかる構成によれば、複数の周波数帯域における受信信号のレベルからスピーカのクロスオーバー周波数を推定することができる。
【０００９】
ここで、前記推定手段が求めたクロスオーバー周波数を表示する表示手段を具備すると、表示を見ながら各種の設定を行うことができるので好適である。
また、前記測定信号発生手段は、ホワイトノイズを発生するホワイトノイズ発生手段と、前記ホワイトノイズ発生手段の出力信号の帯域を設定する帯域制限手段とを有し、前記複数の周波数帯域における測定結果は前記帯域制限手段が設定した帯域の代表周波数に対する測定結果、または前記帯域における平均値として認識されるようにすると、スピーカの周波数特性の音圧レベルが小刻みに変動する場合であっても正確なクロスオーバー周波数を推定することができる。
【００１０】
また、本発明のオーディオ装置にあっては、上述の課題を解決するために、供給される信号を増幅してスピーカに供給する２以上の出力手段と、予め定めた複数の周波数帯域において測定信号を発生する測定信号発生手段と、前記測定用信号発生手段が発生した測定用信号を前記各出力手段に選択的に供給して前記スピーカから発生させる測定制御手段と、前記測定制御手段によって前記スピーカから発生された前記測定用信号を受信するマイクと、前記各周波数帯域における前記マイクの受信信号レベルに基づいてクロスオーバー周波数を推定する推定手段と、前記各出力手段のうち特定されたものの出力帯域を、前記推定手段が推定したクロスオーバー周波数に対応した帯域に設定する帯域設定手段とを具備する。
【００１１】
さらに、上記オーディオ装置において、前記測定信号発生手段は、ホワイトノイズを発生するホワイトノイズ発生手段と、前記ホワイトノイズ発生手段の出力信号の帯域を設定する帯域制限手段とを有し、前記複数の周波数帯域における測定結果は前記帯域制限手段が設定した帯域の代表周波数に対する測定結果、または前記帯域における平均値として認識されることが望ましい。
【００１２】
さらにまた、上記オーディオ装置において、前記推定手段が推定したクロスオーバー周波数を複数記憶する記憶手段と、前記記憶手段に記憶されたいずれかのクロスオーバー周波数を選択する選択手段と、前記選択手段によって選択された帯域を前記特定の出力手段に設定する帯域プリセット手段とを具備する態様が望ましい。
【発明の効果】
【００１３】
本発明によれば、高速フーリエ解析を用いずに、簡単な構成により、スピーカのクロスオーバー周波数を推定することができる。
【発明を実施するための最良の形態】
【００１４】
以下、本発明の実施の形態について説明する。
本実施形態
図１は、本発明の一実施形態であるオーディオ装置の構成を示すブロック図である。図において、１は入力信号に対し各種の信号処理を行う信号処理部である。この信号処理部１は、外部の音響機器の出力信号（ＣＤプレーヤ、ＤＶＤプレーヤ、テレビチューナなどの各音声出力信号）を受け付ける複数の入力端子ＩＮ―１〜ＩＮ−ｎを有し、これらの入力端子に供給された信号に対し、５．１チャンネルのサラウンド処理を行い、各チャンネルについての出力信号を、出力アンプ２ＦＲ、２ＦＬ、２ＦＣ、２ＲＲ、２ＲＬ、２ＳＷに出力する。出力アンプ２ＦＲ、２ＦＬ、２ＦＣ、２ＲＲ、２ＲＬ、２ＳＷは、それぞれ入力された信号を増幅し、フロントライトスピーカＦＲ−ＳＰ、フロントレフトスピーカＦＬ−ＳＰ、フロントセンタースピーカＦＣ−ＳＰ、リアライトスピーカＲＲ−ＳＰ、リアレフトスピーカＲＬ−ＳＰおよびサブウーファーＳＷに供給する。この場合、出力アンプ２ＳＷの出力側には高域をカットする帯域制限フィルタ３が設けられており、サブウーファーＳＷには高域がカットされたオーディオ信号が供給されるようになっている。また、帯域制限フィルタ３のカットオフ周波数ｆｃは、制御部１０によって設定されるようになっている。制御部１０はＣＰＵ、メモリなどを有し、所定のプログラムに基づいて装置各部を制御する。
【００１５】
また、フロントライトスピーカＦＲ−ＳＰ、フロントレフトスピーカＦＬ−ＳＰ、フロントセンタースピーカＦＣ−ＳＰ、リアライトスピーカＲＲ−ＳＰおよびリアレフトスピーカＲＬ−ＳＰは、図１に示すようにリスナーＬに対して、それぞれ前方右、前方左、前方中央、後方右および後方左に配置され、サブウーファーＳＷは、任意の位置に配置される。
【００１６】
次に、５はホワイトノイズ発生部であり、ここで発生されたホワイトノイズは帯域制限フィルタ６を介して測定信号ＳＳとして信号処理部１に供給される。信号処理部１においては、制御部１０の制御の下に測定信号ＳＳを出力アンプ２ＦＲ、２ＦＬ、２ＦＣ、２ＲＲ、２ＲＬに順次供給する。
ここで、帯域制限フィルタ６は所定の帯域を通過させるバンドパスフィルタとして機能し、通過帯域は制御部１０によって設定される。この実施形態においては、６０Ｈｚ〜１００Ｈｚの第１の帯域、１００Ｈｚ〜１４０Ｈｚの第２の帯域、および６０Ｈｚ〜１０６０Ｈｚの第３の帯域が設定されるようになっている。
次に、１５はマイクであり、リスナーＬの位置に置いて使用される。マイク１５に入力された音は、音声信号となって帯域制限フィルタ１６を介して制御部１０に供給される。帯域制限フィルタ１６は帯域制限フィルタ６と同様のフィルタであり、制御部１０によって帯域制限フィルタ６と同じ帯域が同時に設定されるようになっている。
【００１７】
次に、本実施形態の動作を説明する。本実施形態においては、サブウーファーＳＷとその他のスピーカとの周波数帯域を適切に分担するためのクロスオーバー周波数を自動的に検出する。そして、サブウーファーＳＷに供給するオーディオ信号の高域側をカットするためのカットオフ周波数ｆｃを設定する。
初めに、リスナーＬが操作部（図示略）を操作して、制御部１０にクロスオーバー周波数の検出を指示する。これにより、制御部１０はホワイトノイズ発生部５を起動し、また、帯域制限フィルタ６、１６に第１の帯域を設定する。次に、信号処理部１は測定信号ＳＳを出力アンプ２ＦＲに供給する。この結果、スピーカＦＲ−ＳＰからは６０Ｈｚ〜１００Ｈｚの帯域のホワイトノイズが出力される。この音はマイク１５に入力されて音声信号となり、その音声信号が帯域制限フィルタ１６を介して制御部１０に供給される。ここで、帯域制限フィルタ１６には、帯域制限フィルタ６と同様に第１の帯域が設定されているので、スピーカＦＲ−ＳＰから出力された６０Ｈｚ〜１００Ｈｚ以外の帯域の音は遮断される。この結果、制御部１０に供給された信号の強度は、受音点（リスナーＬの位置）におけるスピーカＦＲ−ＳＰの６０Ｈｚ〜１００Ｈｚの帯域の音圧レベルを正しく反映したものとなる。
【００１８】
次に、制御部１０は、帯域制限フィルタ６，１６に第２の帯域を設定する。これにより、スピーカＦＲ−ＳＰからは１００Ｈｚ〜１４０Ｈｚのホワイトノイズが出力され、制御部１０は受音点におけるスピーカＦＲ−ＳＰの１００Ｈｚ〜１４０Ｈｚの帯域の音圧レベルを測定する。次いで、制御部１０は帯域制限フィルタ６，１６に第３の帯域を設定し、上述と同様の測定を行う。
【００１９】
以上の処理により、制御部１０には、６０Ｈｚ〜１００Ｈｚ、１００Ｈｚ〜１４０Ｈｚ、および６０Ｈｚ〜１０６０Ｈｚの帯域のそれぞれの音圧レベルが記録される。ここで、本実施形態においては、６０Ｈｚ〜１００Ｈｚの音圧レベルは８０Ｈｚの音圧レベルとして認識し、また、１００Ｈｚ〜１４０Ｈｚの音圧レベルは１２０Ｈｚの音圧レベルとして認識し、６０Ｈｚ〜１０６０Ｈｚはスピーカの平均音圧レベルとして認識する。ただし、８０Ｈｚ、１２０Ｈｚ、平均音圧レベルとしては測定範囲が異なることから、音圧パワー（積分量）は異なる。そのため、予めこれらのパワーを同じにする処理をしておく。これはスピーカの周波数特性は、図２に示すように周波数に対する音圧レベルが上下に激しく変動し、仮に単一周波数の測定信号を用いて音圧レベルを測定した場合、たまたま山の部分であったり、谷の部分であったりするので（図２のａ，ｂ参照）、その結果をその周波数の音圧レベルとして認識するのは妥当でないからである。本実施形態においては、スピーカの周波数特性が立ち上がる比較的低い領域である第１、第２の帯域については、帯域の中央の周波数を測定周波数値（代表値）として認識する。このようにすることによって、測定帯域に含まれるスピーカの周波数特性の山、谷が平均化され、測定周波数（代表値）における音圧レベルとして妥当な値を得ることができる。
【００２０】
そして、制御部１０は３つの音圧レベルを比較し、以下の処理を行うが、ここで測定された音圧レベルはマイク及びシステムの周波数特性を含んだものであるから、これらの周波数特性をフラットにしておく処理をしておく。まず、平均音圧レベルを０ｄＢとし、これに対して１２０Ｈｚ、８０Ｈｚの音圧レベルが相対的にどの程度かを判定する。ここで、図３は制御部１０のメモリに設けられている推定テーブルＴＢＬである。この図に示すように、測定周波数値における音圧レベルに応じてクロスオーバー周波数が対応付けられている。本実施形態においては、以下のように推定テーブルＴＢＬを用いてクロスオーバー周波数を決定する。
【００２１】
平均音圧レベルを０ｄＢとした場合に、１２０Ｈｚおよび８０Ｈｚの音圧レベルが共に０ｄＢ以上であれば、そのスピーカのクロスオーバー周波数は８０Ｈｚ以下であると推定する。この場合、本実施形態においては６０Ｈｚと推定する。このようなスピーカはかなり低域の再生ができるスピーカである。また、平均音圧レベルを０ｄＢとした場合に、１２０Ｈｚの音圧レベルが−１．５ｄＢ以上であり、８０Ｈｚの音圧レベルが−３ｄＢ以上であれば、そのスピーカのクロスオーバー周波数は８０Ｈｚと推定する。同様にして、平均音圧レベルを０ｄＢとした場合に、１２０Ｈｚの音圧レベルが−３ｄＢ以上であり、８０Ｈｚの音圧レベルが−６ｄＢ以上であれば、そのスピーカのクロスオーバー周波数は１２０Ｈｚと推定する。そして、平均音圧レベルを０ｄＢとした場合に、１２０Ｈｚの音圧レベルが−３ｄＢ未満であり、８０Ｈｚの音圧レベルが−６ｄＢ未満であれば、そのスピーカのクロスオーバー周波数は１２０Ｈｚ以上と推定し、この実施形態においては２００Ｈｚと推定する。
【００２２】
ここで、図４、図５にスピーカの周波数特性のモデルを示す。なお、この周波数特性のモデルにおいては、音圧レベルの細かな変動（山や谷となる部分）を平均化して１次のハイパスフィルタとしてモデリングしてある。
図４に示す特性においては、平均音圧レベルと１２０Ｈｚにおける音圧レベルが０ｄＢであり、８０Ｈｚの音圧レベルが−３ｄＢである。この特性の場合には、推定テーブルＴＢＬに従ってクロスオーバー周波数は８０Ｈｚと推定される。また、図５に示す特性においては、平均音圧レベルが０ｄＢであるのに対し、１２０Ｈｚの音圧レベルは−６ｄＢ未満であり、８０Ｈｚの音圧レベルは測定不能である。このスピーカのクロスオーバー周波数は、推定テーブルＴＢＬに従い２００Ｈｚと推定される。
【００２３】
スピーカの周波数特性は、おおよそ図４，図５に示すような１次のハイパスフィルタとして近似でき、かつ、クロスオーバー周波数は音圧レベルが−３ｄＢとなる周波数であるから、近似した特性曲線と３点の測定結果から、そのスピーカのクロスオーバー周波数の範囲が分かる。本実施形態においては、実測や計算値に基づいて、測定対象のスピーカがとりうるクロスオーバー周波数の範囲内の適切な値を推定テーブルＴＢＬに予め設定している。このように推定テーブルＴＢＬに設定されるのは、３点の測定値（相対値）とクロスオーバー周波数だけなので、記憶すべきデータ量は極めて少ない。
【００２４】
以上の推定を、全てのスピーカについて行うが、各スピーカの特性のばらつきにより、得られるクロスオーバー周波数にばらつきが生じる場合がある。本実施形態においては、得られたクロスオーバー周波数のうちもっとも高いものを採用し、そのクロスオーバー周波数を帯域制限フィルタ３のカットオフ周波数ｆｃとして設定する。クロスオーバー周波数の最も高いものを用いるのは、サブウーファーＳＷと他のスピーカの音域が途切れないようにするためである。すなわち、最も低音が出にくいスピーカのクロスオーバー周波数に合わせておけば、音域が途切れる心配はないからである。
【００２５】
次に、制御部１０は上述のようにして決定したクロスオーバー周波数と同じ値をカットオフ周波数ｆｃとして帯域制限フィルタ３に供給する。この結果、帯域制限フィルタ３はカットオフ周波数ｆｃに基づいて高域側をカットする。これにより、サブウーファーＳＷからは低音域のオーディオ信号が再生され、しかもその帯域は他のスピーカの帯域とスムーズにつながるものとなる。
【００２６】
本願発明は、上記実施形態に限らず種々の変形が可能である。
まず、測定点は上記実施形態の場合３点であったが、もっと測定点数を多くしてもよい。測定点数を多くすれば、より正確なクロスオーバー周波数を推定することができる。また、測定点数を多くしても推定テーブルＴＢＬが記憶するデータは数値データだけなので、そのデータ量は極めて少ない。
【００２７】
上述した実施形態においては、サブウーファーを除く全てのスピーカについてクロスオーバー周波数の測定を行ったが、これを１個または２個のスピーカで代表して行ってもよい。例えば、フロントセンタースピーカＦＣ−ＳＰだけ、あるいはフロントライトスピーカＦＲ−ＳＰとフロントレフトスピーカＦＬ−ＳＰ２個で代表させてもよい。
【００２８】
上述した実施形態においては、ホワイトノイズに帯域通過フィルタを通して測定信号を作成したが、スピーカ特性の音圧レベルの微細な変化（山や谷の部分）の影響が無視できるなら単一周波数で測定してもよい。
【００２９】
図１に示すように液晶表示器等の表示部２０を設け、制御部１０が決定したクロスオーバー周波数を表示するようにしてもよい。また、帯域制限フィルタ３のカットオフ周波数の自動制御を行わず、表示部２０に表示された数値を見て、操作者がカットオフ周波数を手動で設定してもよい。この場合、サブウーファーＳＷには、サブウーファーのスピーカボックスに帯域制限フィルタが内蔵されているものも多く市販されているから、帯域制限フィルタ３を省略し、表示部２０の表示を参照してサブウーファーＳＷのスピーカボックスに内蔵されている帯域制限フィルタの設定を行うこともできる。この場合においては、装置構成をより簡略化できるという利点がある。また、上述した実施形態においては、オーディオ装置の例であったが、本発明はクロスオーバー周波数推定装置として構成することもできる。すなわち、図６に示すように一点鎖線で囲んだ構成要素とマイク１５によってクロスオーバー周波数推定装置３０を構成し、帯域制限フィルタ６から出力される測定信号ＳＳをオーディオ装置の入力端子に供給する。そして、オーディオ装置がいずれかのスピーカからその信号を出力し、これをマイク１５で受信すれば、上述と同様の処理を行うことができる。この場合においては、推定結果は表示部２０における表示によって操作者に知らせてもよいし、また測定データとして出力してもよい。
【００３０】
上述した実施形態の構成に加えて、図７に示すように、制御部１０が決定したクロスオーバー周波数を記憶するメモリ４０を設けても良い。受音点における音圧レベルは環境によっても変化するので、例えば、カーテンを閉めて測定したときと、カーテンを開けて測定したときでは、クロスオーバー周波数は変化することがある。そこで、環境が変わる毎に、測定したクロスオーバー周波数をメモリ４０に記憶させる。そして、環境に応じた値をメモリ４０から読み出し、これに応じて帯域制限フィルタ３のカットオフ周波数ｆｃを設定すればよい。
図７に示す例ではカーテンを開けたとき、カーテンを閉めたとき、人数が多いとき、音量が小さいとき、屋外のとき（オーディオ装置が可搬性のラジカセのような場合）のクロスオーバー周波数が記憶されている。また、メモリ４０はプリセット番号と対にして各クロスオーバー周波数を記憶している。この場合においては、利用者が、操作部（図示略）に対して所定の操作をすることにより、制御部１０が所望のプリセット番号のクロスオーバー周波数を読み出し、帯域制限フィルタ３のカットオフ周波数ｆｃを設定する。
また、視聴環境を示す言葉を入力する構成を付加し、その言葉もメモリ４０に記憶させてもよい。この場合にあっては、選択したプリセット番号に対応する視聴環境については表示部２０に表示することができる。
【００３１】
上述した実施形態は、サブウーファーＳＷと他のスピーカについてのクロスオーバー周波数を設定する例であったが、さらに、スピーカを３つ、あるいは４つの帯域に分けて使用する場合は、各出力アンプに帯域制限フィルタ３を設け、上述と同様の処理によりカットオフ周波数ｆｃを設定することもできる。
【００３２】
また、マイク１５を、オーディオ装置の入力端子ＩＮ−１〜ＩＮ−ｎのいずれかに接続し、信号処理部１がマイク１５の出力信号を帯域制限フィルタ１６に供給するように構成してもよい。また、オーディオ装置がラジカセのような携帯タイプの場合は、本体内蔵のマイクを用いてもよい。この場合には、リスナーＬの位置の受音ではなくなるが、その誤差が許容できる場合には有効である。また、オーディオ装置に種々の操作信号を与えるリモコンにマイクを内蔵し、マイク信号を赤外線やブルートゥースを用いて本体側に伝送することによって、上述の実施形態のマイク１５と同等の機能を持たせてもよい。
【００３３】
上述した実施例においては、制御部１０が推定テーブルＴＢＬに基づいてクロスオーバー周波数の推定を行ったが、推定テーブルＴＢＬに変えて数式を記憶し、この数式に測定結果を代入してクロスオーバー周波数を求めてもよい。例えば、１次ハイパスフィルタの曲線を示す式を記憶し、測定周波数値とその音圧レベルから−３ｄＢを与える周波数、すなわちクロスオーバー周波数を求めてもよい。また、スピーカの特性曲線を複数保有し（数式あるいはデータによって保有する）、測定周波数とその音圧レベルに最も近いもののクロスオーバー周波数を求めたり、補間することによって求めることもできる。
【図面の簡単な説明】
【００３４】
【図１】本実施形態の構成を示すブロック図である。
【図２】一般的なスピーカの特性を示す周波数特性図である。
【図３】同実施形態における推定テーブルＴＢＬの記憶内容を示す図である。
【図４】スピーカの特性のモデル示す周波数特性図である。
【図５】スピーカの特性のモデル示す周波数特性図である。
【図６】本実施形態の変形例の構成を示すブロック図である。
【図７】推定したクロスオーバー周波数を記憶するためのメモリ４０の記憶内容を示す図である。
【符号の説明】
【００３５】
１・・・信号処理部（測定制御手段）、２ＦＲ、２ＦＬ、２ＦＣ、２ＲＲ、２ＲＬ・・・出力アンプ（出力手段）、２ＳＷ・・・出力アンプ（特定の出力手段）、３・・・帯域制限フィルタ（帯域設定手段、帯域プリセット手段）、５・・・ホワイトノイズ発生部（測定信号発生手段、ホワイトノイズ発生手段）、６・・・帯域制限フィルタ（測定信号発生手段、帯域制限手段）１０・・・制御部（推定手段、測定制御手段、選択手段、帯域プリセット手段）１５・・・マイク、２０・・・表示部（表示手段）、４０・・・メモリ（記憶手段）。
【図１】
2005253001.tif 000003
【図２】
2005253001.tif 000004
【図３】
2005253001.tif 000005
【図４】
2005253001.tif 000006
【図５】
2005253001.tif 000007
【図６】
2005253001.tif 000008
【図７】
2005253001.tif 000009